(57)【要約】【課題】風呂蓋をエプロン部に当接させた状態で保持したとしても、風呂蓋をエプロン部より容易に取り出すことができる風呂蓋保持構造及び浴室を提供する。【解決手段】平板状の本体部と、本体部の外縁の少なくとも一部に設けられた周縁部と、を有する風呂蓋と、浴槽のエプロン部に設けられ、本体部をエプロン部と対向させ、少なくとも一部をエプロン部に当接させた状態で風呂蓋を保持する保持部と、を備え、保持部は、風呂蓋を保持した状態において、浴槽の上端よりも下方且つ洗い場床の床面よりも上方に風呂蓋を位置させ、周縁部は、本体部の厚さ方向において本体部よりも突出し、風呂蓋は、保持部に保持された状態において、周縁部をエプロン部に当接させることにより、本体部とエプロン部との間に隙間を設けることを特徴とする風呂蓋保持構造である。【選択図】図３
2019208842.tif 000002
【特許請求の範囲】
【請求項１】
平板状の本体部と、前記本体部の外縁の少なくとも一部に設けられた周縁部と、を有する風呂蓋と、
浴槽のエプロン部に設けられ、前記本体部を前記エプロン部と対向させ、少なくとも一部を前記エプロン部に当接させた状態で前記風呂蓋を保持する保持部と、
を備え、
前記保持部は、前記風呂蓋を保持した状態において、前記浴槽の上端よりも下方且つ洗い場床の床面よりも上方に前記風呂蓋を位置させ、
前記周縁部は、前記本体部の厚さ方向において前記本体部よりも突出し、
前記風呂蓋は、前記保持部に保持された状態において、前記周縁部を前記エプロン部に当接させることにより、前記本体部と前記エプロン部との間に隙間を設けることを特徴とする風呂蓋保持構造。
【請求項２】
前記周縁部の前記厚さ方向の突出量は、前記本体部の厚さよりも小さいことを特徴とする請求項１記載の風呂蓋保持構造。
【請求項３】
前記エプロン部は、第１部分と、前記第１部分よりも下方に設けられ、前記第１部分よりも前記浴槽の内壁側に向かう方向である後方に凹んだ第２部分と、を有し、
前記保持部は、前記風呂蓋を保持した状態において、前記周縁部を前記第１部分に当接させるとともに、前記風呂蓋の少なくとも一部を前記第２部分と対向させることを特徴とする請求項１又は２に記載の風呂蓋保持構造。
【請求項４】
前記第２部分は、前記第１部分から下方に向かうに従って前記後方に位置するように下方傾斜していることを特徴とする請求項３記載の風呂蓋保持構造。
【請求項５】
前記第２部分は、前記後方に向かって凹状に湾曲していることを特徴とする請求項４記載の風呂蓋保持構造。
【請求項６】
排水口を有する洗い場床と、
前記洗い場床側に面する側面にエプロン部を有する浴槽と、
平板状の本体部と、前記本体部の外縁の少なくとも一部に設けられた周縁部と、を有する風呂蓋と、
前記エプロン部に設けられ、前記本体部を前記エプロン部と対向させ、少なくとも一部を前記エプロン部に当接させた状態で前記風呂蓋を保持する保持部と、
を備えた浴室であって、
前記保持部は、前記風呂蓋を保持した状態において、前記浴槽の上端よりも下方且つ洗い場床の床面よりも上方に前記風呂蓋を位置させ、
前記周縁部は、前記本体部の厚さ方向において前記本体部よりも突出し、
前記風呂蓋は、前記保持部に保持された状態において、前記周縁部を前記エプロン部に当接させることにより、前記本体部と前記エプロン部との間に隙間を設けることを特徴とする浴室。
【発明の詳細な説明】
【技術分野】
【０００１】
本発明の態様は、一般的に、風呂蓋を浴槽のエプロン部に保持するための風呂蓋保持構造及び浴室に関する。
【背景技術】
【０００２】
浴室において、入浴時に風呂蓋を収納しておくための収納部を設けることが行われている。例えば、浴室の壁面に収納部を設ける場合、浴室のレイアウトは施工現場によって異なるため、施工者は、施工現場に合わせて収納部を設置可能な壁面を探す必要がある。こうした施工の手間を軽減させるため、浴槽の前面に設けられたエプロン部に風呂蓋の収納部を設けることが提案されている。
【０００３】
風呂蓋をエプロン部の収納部に収納する構成として、例えば、特許文献１のように風呂蓋を摺動させることで収納する構成が知られている。特許文献１のような構成では、使いやすさの観点などから風呂蓋をエプロン部にコンパクトに収納させる目的で、風呂蓋をエプロン部に当接させた状態で収納可能とすることが好ましい。
【０００４】
しかしながら、このような構成とすると、風呂蓋とエプロン部とが当接している状態で収納されている際に、風呂蓋とエプロン部との間に水分が入り込み、水滴により風呂蓋とエプロン部とが張り付いてしまい、エプロン部から風呂蓋を取り外すことが困難となる虞がある。
【０００５】
このため、エプロン部に対して風呂蓋をコンパクトに収納させるために、風呂蓋をエプロン部に当接させた状態で保持したとしても、風呂蓋をエプロン部より容易に取り出すことができる風呂蓋保持構造、及びこの風呂蓋保持構造を備えた浴室が望まれる。
【先行技術文献】
【特許文献】
【０００６】
【特許文献１】特開２０１６−１６８２６３号公報
【発明の概要】
【発明が解決しようとする課題】
【０００７】
本発明は、かかる課題の認識に基づいてなされたものであり、風呂蓋をエプロン部に当接させた状態で保持したとしても、風呂蓋をエプロン部より容易に取り出すことができる風呂蓋保持構造及び浴室を提供することを目的とする。
【課題を解決するための手段】
【０００８】
第１の発明は、平板状の本体部と、前記本体部の外縁の少なくとも一部に設けられた周縁部と、を有する風呂蓋と、浴槽のエプロン部に設けられ、前記本体部を前記エプロン部と対向させ、少なくとも一部を前記エプロン部に当接させた状態で前記風呂蓋を保持する保持部と、を備え、前記保持部は、前記風呂蓋を保持した状態において、前記浴槽の上端よりも下方且つ洗い場床の床面よりも上方に前記風呂蓋を位置させ、前記周縁部は、前記本体部の厚さ方向において前記本体部よりも突出し、前記風呂蓋は、前記保持部に保持された状態において、前記周縁部を前記エプロン部に当接させることにより、前記本体部と前記エプロン部との間に隙間を設けることを特徴とする風呂蓋保持構造である。
【０００９】
この風呂蓋保持構造によれば、エプロン部に対して風呂蓋の前出をコンパクトにするために、エプロン部に風呂蓋を当接するように保持した際に、風呂蓋の周縁部を突出させたことにより、エプロン部と風呂蓋の本体部との間に隙間を設け、エプロン部と風呂蓋との接触面積を減らすことができる。従って、エプロン部と風呂蓋との間に水滴が入り込んだとしても、風呂蓋の取り外しを容易にすることができる。
【００１０】
第２の発明は、第１の発明において、前記周縁部の前記厚さ方向の突出量は、前記本体部の厚さよりも小さいことを特徴とする風呂蓋保持構造である。
【００１１】
この風呂蓋保持構造によれば、周縁部の突出量を抑え、周縁部を突出させた際にも、エプロン部に対する風呂蓋の前出が、周縁部によって大きくなってしまうことを抑制することができる。
【００１２】
第３の発明は、第１又は第２の発明において、前記エプロン部は、第１部分と、前記第１部分よりも下方に設けられ、前記第１部分よりも前記浴槽の内壁側に向かう方向である後方に凹んだ第２部分と、を有し、前記保持部は、前記風呂蓋を保持した状態において、前記周縁部を前記第１部分に当接させるとともに、前記風呂蓋の少なくとも一部を前記第２部分と対向させることを特徴とする風呂蓋保持構造である。
【００１３】
例えば、気密性の高いパッキン材などで本体部を取り囲むように周縁部が形成されている場合、周縁部をエプロン部に当接させた際に、エプロン部と本体部と周縁部とで取り囲まれた密閉空間が形成されてしまう可能性がある。この場合、風呂蓋使用時に湯気などで暖められた風呂蓋が冷えることで、密閉空間の空気が収縮し、風呂蓋がエプロン部に張り付いて外れ難くなってしまうことが考えられる。また、例えば、本体部の内側に付着した水滴など、密閉空間内の水分が外部に抜け難くなり、風呂蓋を長時間保持した際などに、風呂蓋の乾燥が上手く行われず、カビなどの発生を招いてしまう虞がある。  
これに対して、この風呂蓋保持構造によれば、風呂蓋の少なくとも一部を第２部分と対向させることにより、密閉空間の形成を抑制することができる。従って、密閉空間の気圧差によって風呂蓋がエプロン部に張り付き、外れ難くなってしまうことを抑制することができる。また、本体部の内側に付着した水滴などを第２部分から排水することができ、カビなどの発生も抑制することができる。
【００１４】
第４の発明は、第３の発明において、前記第２部分は、前記第１部分から下方に向かうに従って前記後方に位置するように下方傾斜していることを特徴とする風呂蓋保持構造である。
【００１５】
この風呂蓋保持構造によれば、第２部分を下方傾斜させることにより、エプロン部と本体部との間の水分を、より第２部分から排水し易くすることができる。例えば、エプロン部と本体部との間の隙間が狭い場合にも、隙間に水滴が溜まってしまうことを抑制することができる。
【００１６】
第５の発明は、第４の発明において、前記第２部分は、前記後方に向かって凹状に湾曲していることを特徴とする風呂蓋保持構造である。
【００１７】
この風呂蓋保持構造によれば、例えば、直線状に傾斜している場合と比べて、第１部分と第２部分との境界において、水滴の重力による落下速度を一時的に緩めることができる。これにより、例えば、第１部分と第２部分との境界において、水滴を集めやすくすることができる。例えば、落下し難い小さな水滴を、大きな水滴と合わせやすくすることができる。従って、エプロン部と本体部との間の水分を、より適切に排水することができる。
【００１８】
第６の発明は、排水口を有する洗い場床と、前記洗い場床側に面する側面にエプロン部を有する浴槽と、平板状の本体部と、前記本体部の外縁の少なくとも一部に設けられた周縁部と、を有する風呂蓋と、前記エプロン部に設けられ、前記本体部を前記エプロン部と対向させ、少なくとも一部を前記エプロン部に当接させた状態で前記風呂蓋を保持する保持部と、を備えた浴室であって、前記保持部は、前記風呂蓋を保持した状態において、前記浴槽の上端よりも下方且つ洗い場床の床面よりも上方に前記風呂蓋を位置させ、前記周縁部は、前記本体部の厚さ方向において前記本体部よりも突出し、前記風呂蓋は、前記保持部に保持された状態において、前記周縁部を前記エプロン部に当接させることにより、前記本体部と前記エプロン部との間に隙間を設けることを特徴とする浴室である。
【００１９】
この浴室によれば、エプロン部に対して風呂蓋の前出をコンパクトにするために、エプロン部に風呂蓋を当接するように保持した際に、風呂蓋の周縁部を突出させたことにより、エプロン部と風呂蓋の本体部との間に隙間を設け、エプロン部と風呂蓋との接触面積を減らすことができる。従って、エプロン部と風呂蓋との間に水滴が入り込んだとしても、風呂蓋の取り外しを容易にすることができる。
【発明の効果】
【００２０】
本発明の態様によれば、風呂蓋をエプロン部に当接させた状態で保持したとしても、風呂蓋をエプロン部より容易に取り出すことができる風呂蓋保持構造及び浴室が提供される。
【図面の簡単な説明】
【００２１】
【図１】図１（ａ）及び図１（ｂ）は、実施形態に係る風呂蓋保持構造を備えた浴室ユニットを模式的に表す平面図である。
【図２】実施形態に係る風呂蓋保持構造を備えた浴室ユニットを模式的に表す側面図である。
【図３】実施形態に係る風呂蓋保持構造を備えた浴室ユニットを模式的に表す断面図である。
【図４】図４（ａ）及び図４（ｂ）は、実施形態に係る風呂蓋保持構造を備えた浴室ユニットの変形例を模式的に表す断面図である。
【図５】図５（ａ）及び図５（ｂ）は、実施形態に係る風呂蓋保持構造を備えた浴室ユニットの変形例を模式的に表す断面図である。
【図６】図６（ａ）及び図６（ｂ）は、実施形態に係る風呂蓋保持構造を備えた浴室ユニットの変形例を模式的に表す側面図及び断面図である。
【図７】実施形態に係る風呂蓋保持構造を備えた浴室ユニットの変形例を模式的に表す断面図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１（ａ）及び図１（ｂ）は、実施形態に係る風呂蓋保持構造を備えた浴室ユニットを模式的に表す平面図である。  
図２は、実施形態に係る風呂蓋保持構造を備えた浴室ユニットを模式的に表す側面図である。  
図３は、実施形態に係る風呂蓋保持構造を備えた浴室ユニットを模式的に表す断面図である。
【００２３】
図１（ａ）、図１（ｂ）、図２、及び図３に表したように、浴室ユニット２（浴室）は、浴槽１０と、洗い場床２０と、を備える。洗い場床２０は、床面２２を有する。浴槽１０は、洗い場床２０と並べて配置される。浴槽１０は、上端１２と、凹部１４と、を有する。凹部１４は、上端１２から下方に凹み、内部に湯水を溜められるようにする。
【００２４】
浴槽１０の上端１２は、洗い場床２０の床面２２よりも上方に位置する。このため、浴槽１０は、エプロン部１６を有する。エプロン部１６は、例えば、上下方向に延び、浴槽１０の上端１２と洗い場床２０の床面２２とを接続する。エプロン部１６は、換言すれば、浴槽１０の洗い場床２０側を向く側面である。浴槽１０は、洗い場床２０側に面する側面にエプロン部１６を有する。エプロン部１６は、例えば、上端１２と凹部１４とを有する浴槽本体に対して着脱可能に取り付けられ、浴槽本体の側面を隠蔽する。エプロン部１６は、浴槽本体と一体的に形成してもよい。
【００２５】
床面２２は、排水口２４を有する。排水口２４は、例えば、エプロン部１６と隣接して設けられる。排水口２４は、洗い場床２０に流れ出た湯水を外部に排水する。排水口２４は、例えば、蓋部材によって排水可能に覆われている。
【００２６】
以下、本願明細書では、浴槽１０から洗い場床２０に向かう方向を「前方」とし、これと反対の方向を「後方」とする。そして、前方を向いた状態における上方、下方、右側方、左側方を、それぞれ、「上方」、「下方」、「右側方」、「左側方」とする。エプロン部１６は、換言すれば、浴槽１０の前方を向く側面である。エプロン部１６は、換言すれば、浴槽本体の前面を隠蔽する。
【００２７】
浴槽１０を上方から見た形状は、例えば、左右方向に延びた長方形状である。左右方向は、換言すれば、浴槽１０の長手方向である。前後方向は、換言すれば、浴槽１０の短手方向である。
【００２８】
浴室ユニット２は、風呂蓋３０と、保持部４０と、をさらに備える。浴室ユニット２は、例えば、複数の風呂蓋３０を備える。この例において、浴室ユニット２は、３つの風呂蓋３０を備える。各風呂蓋３０は、板状である。各風呂蓋３０は、浴槽１０の上に、左右方向（浴槽１０の長手方向）に並べて載置されることにより、浴槽１０の凹部１４の上方を覆う。各風呂蓋３０は、いわゆる組蓋である。
【００２９】
各風呂蓋３０のそれぞれの形状は、例えば、実質的に同じである。浴槽１０の上に載置された状態において、各風呂蓋３０の前後方向の長さは、浴槽１０の短手方向の長さと実質的に同じである。浴槽１０の上に載置された状態において、各風呂蓋３０の左右方向の長さは、浴槽１０の長手方向の長さを三分割した長さと実質的に同じである。この場合、各風呂蓋３０は、例えば、略長方形の板状である。
【００３０】
但し、各風呂蓋３０の構成は、上記に限定されるものではない。風呂蓋３０の数は、３つに限ることなく、１つ又は２つでもよいし、４つ以上でもよい。風呂蓋３０の数は、任意の数でよい。例えば、各風呂蓋３０の数を２つとした場合には、各風呂蓋３０の形状は、略正方形の板状としてもよい。また、複数の風呂蓋３０の形状は、それぞれ異なってもよい。複数の風呂蓋３０は、分離可能に構成してもよいし、一部を接続し、折り畳み可能に構成してもよい。このように、風呂蓋３０の構成は、凹部１４の上を覆うことが可能な板状（組蓋状）の任意の構成でよい。
【００３１】
各風呂蓋３０は、本体部３２と、周縁部３４と、を有する。本体部３２は、平板状である。周縁部３４は、本体部３２の外縁全周に設けられる。周縁部３４は、本体部３２の外縁の一部のみに設けてもよい。周縁部３４は、例えば、長方形状の風呂蓋３０において、別の風呂蓋３０と隣接しない３辺又は２辺のみに設けてもよい。換言すれば、周縁部３４は、浴槽１０の上に並べて載置された状態の複数の風呂蓋３０の外縁部分のみに設けてもよい。このように、周縁部３４は、本体部３２の外周の少なくとも一部に設けられる。各風呂蓋３０は、例えば、本体部３２の外縁に並べて設けられた複数の周縁部３４を有してもよい。なお、平板状とは板状の表面にシボ加工やエンボス加工などにより、例えば、凹凸模様などが入っているものも含むものとする。
【００３２】
本体部３２には、例えば、熱可塑性発泡樹脂が用いられる。熱可塑性発泡樹脂としては、例えば発泡ポリプロピレン、発泡ポリスチレン、発泡ポリエチレン、発泡ポリウレタンなどが挙げられる。周縁部３４には、例えば、エラストマーなどの樹脂材料が用いられる。周縁部３４の摩擦係数は、例えば、本体部３２の摩擦係数よりも高い。これにより、例えば、各風呂蓋３０を掴みやすくすることができる。
【００３３】
保持部４０は、浴槽１０のエプロン部１６に設けられ、本体部３２をエプロン部１６と対向させ、風呂蓋３０の少なくとも一部をエプロン部１６に当接させた状態で各風呂蓋３０を保持する。保持部４０は、各風呂蓋３０を前後方向に重ねた状態で保持する。従って、保持部４０は、各風呂蓋３０のうちのエプロン部１６と対面する１つの風呂蓋３０の少なくとも一部をエプロン部１６に当接させた状態で、各風呂蓋３０を保持する。
【００３４】
図２に表したように、保持部４０は、各風呂蓋３０を保持した状態において、浴槽１０の上端１２よりも下方且つ洗い場床２０の床面２２よりも上方に各風呂蓋３０を位置させる。保持部４０は、例えば、長方形状の各風呂蓋３０の長手方向を左右方向に向けた状態で各風呂蓋３０を保持する。換言すれば、保持部４０は、長方形状の各風呂蓋３０を横向きにした状態で保持する。これにより、上端１２よりも下方且つ床面２２よりも上方に各風呂蓋３０を配置し易くすることができる。
【００３５】
図３に表したように、周縁部３４は、本体部３２の厚さ方向において本体部３２よりも突出する。周縁部３４は、各風呂蓋３０が保持部４０に保持された状態において、本体部３２よりも前後方向に突出する。換言すれば、周縁部３４は、各風呂蓋３０が浴槽１０の上に載置された状態において、本体部３２よりも上下方向に突出する。
【００３６】
各風呂蓋３０は、保持部４０に保持された状態において、エプロン部１６と対面する風呂蓋３０の周縁部３４をエプロン部１６に当接させることにより、エプロン部１６と対面する風呂蓋３０の本体部３２とエプロン部１６との間に隙間ＧＰを設ける。
【００３７】
周縁部３４の厚さ方向の突出量ＰＡは、本体部３２の厚さＴＮよりも小さい。周縁部３４の突出量ＰＡは、保持部４０に保持された状態において、隙間ＧＰの前後方向の長さと実質的に同じである。
【００３８】
エプロン部１６は、第１部分１６ａと、第２部分１６ｂと、を有する。第２部分１６ｂは、第１部分１６ａよりも下方に設けられ、第１部分１６ａよりも浴槽１０の内壁側（凹部１４側）に向かう方向である後方に凹んでいる。保持部４０は、各風呂蓋３０を保持した状態において、エプロン部１６と対面する風呂蓋３０の周縁部３４を第１部分１６ａに当接させるとともに、エプロン部１６と対面する風呂蓋３０の少なくとも一部を第２部分１６ｂと対向させる。
【００３９】
図３に表したように、第２部分１６ｂは、第１部分１６ａから下方に向かうに従って後方に位置するように下方傾斜している。第２部分１６ｂは、例えば、後方に向かって凹状に湾曲している。
【００４０】
保持部４０は、例えば、一対の支持部４１と、ベルト４２と、巻取器４３と、フック４４と、を有する。一対の支持部４１は、各風呂蓋３０の下端を支持する。一対の支持部４１は、例えば、略Ｌ字に屈曲したフック状であり、各風呂蓋３０の下端を支持するとともに、各風呂蓋３０の前方への倒れを抑制する。一対の支持部４１は、前述のように、長方形状の各風呂蓋３０を横向きにした状態で支持する。なお、支持部４１の数は、２つに限ることなく、１つでもよいし、３つ以上でもよい。
【００４１】
ベルト４２は、巻取器４３に巻き取られた状態で、一対の支持部４１よりも上方に配置されている。巻取器４３は、ベルト４２をロール状に巻き取るとともに、ベルト４２の一端を引っ張ることで、ベルト４２の引き出しを可能にする。巻取器４３は、例えば、エプロン部１６と浴槽本体との間の空間内に設けられ、エプロン部１６に設けられたスリット状の開口などを介してベルト４２を引き出し可能とする。フック４４は、ベルト４２の一端を着脱可能に保持する。
【００４２】
ベルト４２は、巻取器４３から引き出し、一端をフック４４に保持させることにより、一対の支持部４１に支持された各風呂蓋３０の上部を支持し、各風呂蓋３０の前方への倒れを抑制するとともに、エプロン部１６と対面する風呂蓋３０の周縁部３４を第１部分１６ａに当接させる。
【００４３】
また、一対の支持部４１は、第２部分１６ｂに設けられている。これにより、前述のように、エプロン部１６と対面する風呂蓋３０の周縁部３４を第１部分１６ａに当接させるとともに、エプロン部１６と対面する風呂蓋３０の少なくとも一部を第２部分１６ｂと対向させた状態で、各風呂蓋３０を支持することができる。
【００４４】
各支持部４１は、例えば、上下方向を軸に回動可能に第２部分１６ｂに取り付け、各風呂蓋３０を支持していない非使用状態において、前方に向かって延びる使用位置から、左右方向に延びる非使用位置に収納できるようにしてもよい。各支持部４１は、例えば、回動あるいは前後方向へのスライド移動などにより、非使用状態において、第１部分１６ａよりも前方に突出しないように収納できるようにしてもよい。
【００４５】
一対の支持部４１に支持された各風呂蓋３０の一部は、排水口２４の上方に位置する。また、一対の支持部４１の前端４１ｆは、排水口２４の前端２４ｆより後方に位置するように設けられている。換言すると、洗い場床２０の床面２２から排水口２４への下方に向かう段差の前後方向における位置は、一対の支持部４１よりも前方に設けられている。
【００４６】
このため、浴室利用者が洗い場床２０を利用する場合において、シャンプーやボディソープなどの洗剤や人体から出る皮脂などを含む排水が排水口２４へ侵入する際に、早い段階で床面２２より下方に位置する排水口２４へ向かって排水される。これにより、例えば、一対の支持部４１の取付位置が洗い場床２０の床面２２に近い高さに設けられていたとしても、一対の支持部４１に支持された風呂蓋３０が上記排水などによって汚れることを抑制することができる。但し、保持部４０と排水口２４との位置関係は、上記に限ることなく、任意の位置関係でよい。排水口２４は、保持部４０に保持された各風呂蓋３０と上下方向において重ならない位置に配置してもよい。
【００４７】
以上、説明したように、本実施形態に係る浴室ユニット２の風呂蓋保持構造では、エプロン部１６に対して各風呂蓋３０の前出をコンパクトにするために、対面する風呂蓋３０をエプロン部１６に当接させて各風呂蓋３０を保持した際に、対面する風呂蓋３０の周縁部３４を突出させたことにより、エプロン部１６と対面する風呂蓋３０の本体部３２との間に隙間ＧＰを設け、エプロン部１６と対面する風呂蓋３０との接触面積を減らすことができる。従って、エプロン部１６と対面する風呂蓋３０との間に水滴が入り込んだとしても、大気圧の影響による風呂蓋３０のエプロン部１６への張り付きを抑制し、風呂蓋３０の取り外しを容易にすることができる。
【００４８】
実施形態に係る浴室ユニット２では、複数の風呂蓋３０のそれぞれに周縁部３４を設けている。周縁部３４は、例えば、複数の風呂蓋３０のうち、エプロン部１６と対面する１つの風呂蓋３０のみに設けてもよい。但し、各風呂蓋３０のそれぞれに周縁部３４を設けることにより、隣接する風呂蓋３０の間にも隙間を設けることができ、各風呂蓋３０同士の張り付きも抑制することができる。また、各風呂蓋３０のいずれをエプロン部１６と対面させても良く、複数の風呂蓋３０を設ける場合の各風呂蓋３０の配置の自由度を高めることできる。
【００４９】
また、浴室ユニット２の風呂蓋保持構造では、周縁部３４の厚さ方向の突出量ＰＡが、本体部３２の厚さＴＮよりも小さい。これにより、周縁部３４の突出量ＰＡを抑え、周縁部３４を突出させた際にも、エプロン部１６に対する各風呂蓋３０の前出が、周縁部３４によって大きくなってしまうことを抑制することができる。
【００５０】
例えば、気密性の高いパッキン材などで本体部３２を取り囲むように周縁部３４が形成されている場合、周縁部３４をエプロン部１６に当接させた際に、エプロン部１６と本体部３２と周縁部３４とで取り囲まれた密閉空間が形成されてしまう可能性がある。この場合、風呂蓋使用時に湯気などで暖められた風呂蓋３０が冷えることで、密閉空間の空気が収縮し、風呂蓋３０がエプロン部１６に張り付いて外れ難くなってしまうことが考えられる。また、例えば、本体部３２の内側に付着した水滴など、密閉空間内の水分が外部に抜け難くなり、風呂蓋３０を長時間保持した際などに、風呂蓋３０の乾燥が上手く行われず、カビなどの発生を招いてしまう虞がある。
【００５１】
これに対して、浴室ユニット２の風呂蓋保持構造では、風呂蓋３０の少なくとも一部を第２部分１６ｂと対向させることにより、密閉空間の形成を抑制することができる。従って、密閉空間の気圧差によって風呂蓋３０がエプロン部１６に張り付き、外れ難くなってしまうことを抑制することができる。また、本体部３２の内側に付着した水滴などを第２部分１６ｂから排水することができ、カビなどの発生も抑制することができる。
【００５２】
また、浴室ユニット２の風呂蓋保持構造では、エプロン部１６の第２部分１６ｂが、第１部分１６ａから下方に向かうに従って後方に位置するように下方傾斜している。これにより、エプロン部１６と本体部３２との間の水分を、より第２部分１６ｂから排水し易くすることができる。例えば、エプロン部１６と本体部３２との間の隙間ＧＰが狭い場合にも、隙間ＧＰに水滴が溜まってしまうことを抑制することができる。
【００５３】
また、浴室ユニット２の風呂蓋保持構造では、第２部分１６ｂが、後方に向かって凹状に湾曲している。これにより、例えば、直線状に傾斜している場合と比べて、第１部分１６ａと第２部分１６ｂとの境界において、水滴の重力による落下速度を一時的に緩めることができる。これにより、例えば、第１部分１６ａと第２部分１６ｂとの境界において、水滴を集めやすくすることができる。例えば、落下し難い小さな水滴を、大きな水滴と合わせやすくすることができる。従って、エプロン部１６と本体部３２との間の水分を、より適切に排水することができる。
【００５４】
図４（ａ）及び図４（ｂ）は、実施形態に係る風呂蓋保持構造を備えた浴室ユニットの変形例を模式的に表す断面図である。  
なお、上記実施形態と機能・構成上実質的に同じものについては、同符号を付し、詳細な説明は省略する。  
図４（ａ）に表したように、エプロン部１６の第２部分１６ｂは、第１部分１６ａから下方に向かうに従って後方に位置するように直線状に下方傾斜してもよい。あるいは、図４（ｂ）に表したように、エプロン部１６の第２部分１６ｂは、第１部分１６ａに対して段差状に後方に凹ませてもよい。
【００５５】
但し、前述のように、第２部分１６ｂは、段差状に後方に凹ませるよりも、下方に向かうに従って後方に位置するように下方傾斜させることが好ましい。これにより、エプロン部１６と本体部３２との間の水分を排水し易くすることができる。そして、第２部分１６ｂは、直線状に下方傾斜させるよりも、凹状に湾曲させて下方傾斜させることが好ましい。これにより、エプロン部１６と本体部３２との間の水分を、より排水し易くすることができる。
【００５６】
図５（ａ）及び図５（ｂ）は、実施形態に係る風呂蓋保持構造を備えた浴室ユニットの変形例を模式的に表す断面図である。  
図５（ａ）及び図５（ｂ）に表したように、この例では、各風呂蓋３０を保持する保持部５０が、下方支持部５１と、上方支持部５２と、を有する。下方支持部５１の構成は、上記実施形態の支持部４１の構成と実質的に同じであるから、詳細な説明は省略する。
【００５７】
上方支持部５２は、下方支持部５１に支持された各風呂蓋３０の上端と係合し、各風呂蓋３０の前方への倒れを抑制するとともに、エプロン部１６と対面する風呂蓋３０の周縁部３４を第１部分１６ａに当接させる。これにより、保持部５０においても、上記実施形態の保持部４０と同様に、各風呂蓋３０を保持することができる。
【００５８】
上方支持部５２は、例えば、左右方向を軸に回動可能にエプロン部１６に取り付けられている。上方支持部５２は、例えば、各風呂蓋３０を保持する保持位置（図５（ａ）に表した位置）と、保持位置よりも下方に回動した収納位置（図５（ｂ）に表した位置）と、に移動する。上方支持部５２は、例えば、収納位置においては、エプロン部１６と略面一になる。これにより、各風呂蓋３０を保持していない状態において、上方支持部５２が浴室利用者の邪魔になってしまうことを抑制することができる。
【００５９】
また、図示は省略するが、上方支持部５２は、例えば、図５（ａ）に表した保持位置よりもさらに上方まで回動可能である。これにより、下方支持部５１への各風呂蓋３０の載置、及び各風呂蓋３０の取り出しの際に、上方支持部５２が邪魔になってしまうことを抑制し、各風呂蓋３０の載置及び取り出しをし易くすることができる。
【００６０】
なお、下方支持部５１及び上方支持部５２の数は、それぞれ１つでもよいし、複数でもよい。上方支持部５２の数は、下方支持部５１の数と同じでもよいし、異なってもよい。
【００６１】
図６（ａ）及び図６（ｂ）は、実施形態に係る風呂蓋保持構造を備えた浴室ユニットの変形例を模式的に表す側面図及び断面図である。  
図６（ａ）及び図６（ｂ）に表したように、この例において、各風呂蓋３０は、一対の係合部３６を有している。一対の係合部３６は、風呂蓋３０の両側端に設けられる。一対の係合部３６は、例えば、長方形状の風呂蓋３０の長手方向の両側端に設けられる。
【００６２】
各係合部３６は、例えば、本体部３２及び周縁部３４に対してスライド可能に取り付け、本体部３２及び周縁部３４から図示のように突出した位置と、本体部３２及び周縁部３４に収納された位置と、に移動するようにしてもよい。これにより、例えば、浴槽１０の上に各風呂蓋３０を載置する際に、各係合部３６を収納することで、各係合部３６が邪魔になってしまうことを抑制することができる。
【００６３】
保持部６０は、一対の支持部６２を有する。一対の支持部６２は、各風呂蓋３０の一対の係合部３６と係合することにより、エプロン部１６と対面する風呂蓋３０の周縁部３４を第１部分１６ａに当接させるとともに、エプロン部１６と対面する風呂蓋３０の少なくとも一部を第２部分１６ｂと対向させた状態で、各風呂蓋３０を支持する。このように、保持部６０の構成は、各風呂蓋３０の両側端に設けられた係合部３６と係合することによって各風呂蓋３０を保持するフック状の構成などでもよい。
【００６４】
各支持部６２は、例えば、各風呂蓋３０を保持する保持位置（図６（ｂ）において実線で表した位置）と、保持位置よりも上方に回動してエプロン部１６に収納された収納位置（図６（ｂ）において点線で表した位置）と、に移動する。各支持部６２は、例えば、収納位置においては、エプロン部１６と略面一になる。これにより、各風呂蓋３０を保持していない状態において、各支持部６２が浴室利用者の邪魔になってしまうことを抑制することができる。
【００６５】
図７は、実施形態に係る風呂蓋保持構造を備えた浴室ユニットの変形例を模式的に表す断面図である。  
図７に表したように、この例において、各風呂蓋３０は、磁性体３８を有する。磁性体３８は、本体部３２の内部に埋め込まれている。そして、この例において、保持部７０は、磁力を介して磁性体３８を引き付けることにより、各風呂蓋３０を吸着保持する磁性体である。保持部７０は、例えば、エプロン部１６と浴槽本体との間の空間内に設けられる。
【００６６】
保持部７０は、例えば、磁石である。磁性体３８は、例えば、鉄などの強磁性体である。磁性体３８は、例えば、磁石である保持部７０の磁力によって磁化することにより、次の風呂蓋３０の磁性体３８を引き付ける。これにより、各風呂蓋３０をエプロン部１６に吸着保持することができる。なお、上記の反対に、保持部７０を鉄などの強磁性体とし、磁性体３８を磁石としてもよい。あるいは、保持部７０と磁性体３８の双方を磁石としてもよい。
【００６７】
このように、各風呂蓋３０を保持する保持部の構成は、各風呂蓋３０を適切にエプロン部１６に保持することができる任意の構成でよい。
【００６８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室ユニット２などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６９】
２ 浴室ユニット、  １０ 浴槽、  １２ 上端、  １４ 凹部、  １６ エプロン部、  １６ａ 第１部分、  １６ｂ 第２部分、  ２０ 洗い場床、  ２２ 床面、  ２４ 排水口、  ３０ 風呂蓋、  ３２ 本体部、  ３４ 周縁部、  ３６ 係合部、  ３８ 磁性体、  ４０ 保持部、  ４１ 支持部、  ４２ ベルト、  ４３ 巻取器、  ４４ フック、  ５０ 保持部、  ５１ 下方支持部、  ５２ 上方支持部、  ６０ 保持部、  ６２ 支持部、  ７０ 保持部
【図１】
2019208842.tif 000003
【図２】
2019208842.tif 000004
【図３】
2019208842.tif 000005
【図４】
2019208842.tif 000006
【図５】
2019208842.tif 000007
【図６】
2019208842.tif 000008
【図７】
2019208842.tif 000009